(57)【要約】      （修正有）【課題】シンプルで組み立てやすく、薄形小物をプレゼントする時の包装に適した面白味のある構造の薄形小物用包装体を提供する。【解決手段】第一内板２８は、第一外折罫線３０が折れて第一外板１６に重なり、第二内板３４は、第二外折罫線３６が折れて第二外板１８に重なる。副折罫線４０は主折罫線１４を延長した位置に重なる。裏板３８は、第一内板に重なって相互に糊付けされて、第一内板と裏板との間に収容空間を形成し、収容物挿入孔４２及び収容物視認孔２４ａが収容空間の位置で互いに連通する。主折罫線及び副折罫線が折れて第一及び第二外板が重なり、第一及び第二外折罫線の近傍同士が相互に糊付けされる。第一及び第二外板の間に第一内板２８、第二内板及び裏板が収容され、第二内板が裏板に重なって内板挿通孔４４を覆う。【選択図】図２
0003222312.tif 000002
【実用新案登録請求の範囲】
【請求項１】
薄形小物の包装に使用される薄形小物用包装体において、
一枚の台紙から成り、前記台紙は、主折罫線を介して互いに連続する第一及び第二外板と、前記第一外板の、前記主折罫線と反対側の端部に延設され、第一外折罫線で前記第一外板と区切られた第一内板と、前記第二外板の、前記主折罫線と反対側の端部に延設され、第二外折罫線で前記第二外板と区切られた第二内板と、前記第二内板の、前記第二外折罫線と反対側の端部に延設され、副折罫線で前記第二内板と区切られた裏板とを有し、
前記第一外板の内側には、前記主折罫線に対向する第一補助折罫線が設けられ、前記第二外板の内側には、前記主折罫線に対向する第二補助折罫線が設けられ、前記第一内板は、先端部分の幅が前記第一外板の幅よりも狭く、当該先端部分の内側に、前記収容物が通過できない大きさの収容物視認孔が形成され、前記第二内板は、先端部分の幅が前記第二の外板の幅よりも狭く形成され、前記裏板の内側に開口部が形成され、少なくとも前記第一又は第二外板の内側の、前記主折罫線と重なる位置に、前記第一及び第二内板の先端部分が挿通可能な内板挿通孔が設けられ、
組み立て状態で、前記第一内板は、前記第一外折罫線が折れて前記第一外板に重なり、前記第二内板は、前記第二外折罫線が折れて前記第二外板に重なり、前記副折罫線は、前記主折罫線を延長した位置に重なり、前記裏板は、前記第一内板に重なって相互に糊付けされて、前記第一内板と前記裏板との間に収容空間を形成し、前記開口部及び前記収容物視認孔が前記収容空間の位置で互いに連通し、さらに、前記主折罫線及び前記副折罫線が折れて前記第一及び第二外板が重なり、前記第一及び第二外折罫線の近傍同士が相互に糊付けされ、前記第一及び第二外板の間に前記第一内板、第二内板及び前記裏板が収容され、前記第二内板が前記裏板に重なって前記内板挿通孔を覆い、
使用者が、前記主折罫線と前記第一及び第二外折罫線とを近づける方向に力を加えると、前記第一及び第二外板が前記第一及び第二補助折罫線で折れて外側に広がり、前記第一及び第二内板の先端部分が前記内板挿通孔を通じて外側に移動して、前記収容物視認孔が露出することを特徴とする薄形小物用包装体。
【請求項２】
前記台紙は、前記第一及び第二外板が相互に糊付けされる位置に、糊層と前記糊層を被覆する剥離紙とが設けられている請求項１記載の薄形小物用包装体。
【請求項３】
前記第一内板は、内側に前記収容物視認孔が形成され、基端部が前記第一外折罫線で前記第一外板と区切られた本体部と、前記本体部の、前記第一外折罫線と反対側の端部に延設され、内側に前記収容物の外形よりも大きい収容物ガイド孔が形成されたスペーサ部とを有し、
組み立て状態で、前記本体部は、前記第一外折罫線が折れて前記第一外板に重なり、前記スペーサ部は、一方の面が前記本体部に折り重なって相互に糊付けされ、反対側の面が前記裏板に糊付けされ、前記収容物ガイド孔と前記開口部及び前記収容物視認孔とが互いに連通し、前記収容空間が前記収容物ガイド孔の内側に形成される請求項１又は２記載の薄形小物用包装体。
【請求項４】
使用者が、前記主折罫線と前記第一及び第二外折罫線とを近づける方向に力を加え、前記第一及び第二外板が前記第一及び第二補助折罫線で折れて外側に広がった時、前記第一及び第二外板によって略三角形の筒体が形成され、この状態で当該筒体の一側面を下にして平坦面に載置されると、前記第一及び第二内板が起立状態に支持される請求項１乃至３のいずれか記載の薄形小物用包装体。
【請求項５】
前記第二内板には、第二内板の内側を破断させるための開封用破断線が設けられ、前記開封用破断線を破断させると、前記開口部が露出し、前記収容空間に入れられた前記収容物が取り出し可能になる請求項1乃至４のいずれか記載の薄形小物用包装体。
【考案の詳細な説明】
【技術分野】
【０００１】
本考案は、コイン、写真、切手等の薄形小物の包装に使用される薄形小物用包装体に関する。
【背景技術】
【０００２】
従来、例えば特許文献１に開示されているように、紙幣等を収容するポチ袋であって、裏表紙、中抜きの中台紙、表表紙の３層からなり、裏表紙と中台紙とを固着するとともに、中台紙の表側表面を剥がれやすい糊を塗って、表表紙を中台紙から着脱自在にした台紙型ポチ袋があった。収容された紙幣等は、表表紙を中台紙から着脱することによって出し入れすることができる。また、表表紙は、使用後、所定の折りスタンド加工を施すことによって、写真スタンドとして活用することができる。
【０００３】
また、本願出願人による特許文献２に開示されているように、１枚の台紙を折り重ね、互いに重なった２つの板の間にＰＴＰシートを挟み込み、特定箇所を糊付けすることによって組み立てられるＰＴＰ用包装体があった。ＰＴＰシートは、包装体に包装された状態で、錠剤等が入った透明な突出部が包装体の透孔から突出し、錠剤等を外から視認することができる。
【先行技術文献】
【特許文献】
【０００４】
【特許文献１】実用新案登録第３２１９４１２号公報
【特許文献２】実用新案登録第３２０６２４２号公報
【考案の概要】
【考案が解決しようとする課題】
【０００５】
誰かに記念コインや記念切手等をプレゼントする時は、相手を少し驚かせる贈り方、あるいは印象に残る贈り方をしたいものである。そのためには、面白味のある包装体に包装して贈る方法が考えられる。また、贈られた人は、収容物を包装体に入れた状態で保管し、時々収容物を見て楽しむことが想定されるので、包装体は、シンプルで組み立てやすく、収容物を繰り返し出し入れできる構造であることが好ましい。
【０００６】
特許文献１の台紙型ポチ袋は、表表紙が剥がれやすい糊で中台紙に貼着され、表表紙を着脱して収容物を出し入れする構成なので、出し入れを繰り返すうちに糊の粘着性が低下し、ごく短期間のうちに使用できなくなる。また、この台紙型ポチ袋は、３つの板（裏表紙、中台紙、表表紙）を別々に用意して貼着する構造なので、製造メーカにとっては少し作りにくい。
【０００７】
また、特許文献２のＰＴＰ用包装体は、あくまでもＰＴＰシートの包装するための包装体である。ＰＴＰシートは、非常に薄いフランジ部と錠剤等を収めた突出部とを備えた独特な構造なので、このＰＴＰ用包装体は、記念コインのような物品（ある程度の厚みがある物品）の包装には適さない。また、錠剤等（収容物）が常に外から見えるように包装されるので、相手を少し驚かせる贈り方をしたい時には不向きである。
【０００８】
この考案は、上記背景技術に鑑みて成されたものであり、シンプルで組み立てやすく、薄形小物をプレゼントする時の包装に適した面白味のある構造の薄形小物用包装体を提供することを目的とする。
【課題を解決するための手段】
【０００９】
この考案は、薄形小物の包装に使用される薄形小物用包装体であって、一枚の台紙から成り、前記台紙は、主折罫線を介して互いに連続する第一及び第二外板と、前記第一外板の、前記主折罫線と反対側の端部に延設され、第一外折罫線で前記第一外板と区切られた第一内板と、前記第二外板の、前記主折罫線と反対側の端部に延設され、第二外折罫線で前記第二外板と区切られた第二内板と、前記第二内板の、前記第二外折罫線と反対側の端部に延設され、副折罫線で前記第二内板と区切られた裏板とを有し、
前記第一外板の内側には、前記主折罫線に対向する第一補助折罫線が設けられ、前記第二外板の内側には、前記主折罫線に対向する第二補助折罫線が設けられ、前記第一内板は、先端部分の幅が前記第一外板の幅よりも狭く、当該先端部分の内側に、前記収容物が通過できない大きさの収容物視認孔が形成され、前記第二内板は、先端部分の幅が前記第二の外板の幅よりも狭く形成され、前記裏板の内側に、前記収容物が通過可能な形状の収容物挿入孔等の開口部が形成され、少なくとも前記第一又は第二外板の内側の、前記主折罫線と重なる位置に、前記第一及び第二内板の先端部分が挿通可能な内板挿通孔が設けられ、
組み立て状態で、前記第一内板は、前記第一外折罫線が折れて前記第一外板に重なり、前記第二内板は、前記第二外折罫線が折れて前記第二外板に重なり、前記副折罫線は、前記主折罫線を延長した位置に重なり、前記裏板は、前記第一内板に重なって相互に糊付けされて、前記第一内板と前記裏板との間に収容空間を形成し、前記開口部及び前記収容物視認孔が前記収容空間の位置で互いに連通し、さらに、前記主折罫線及び前記副折罫線が折れて前記第一及び第二外板が重なり、前記第一及び第二外折罫線の近傍同士が相互に糊付けされ、前記第一及び第二外板の間に前記第一内板、第二内板及び前記裏板が収容され、前記第二内板が前記裏板に重なって前記内板挿通孔を覆い、
使用者が、前記主折罫線と前記第一及び第二外折罫線とを近づける方向に力を加えると、前記第一及び第二外板が前記第一及び第二補助折罫線で折れて外側に広がり、前記第一及び第二内板の先端部分が前記内板挿通孔を通じて外側に移動して、前記収容物視認孔が露出する薄形小物用包装体である。
【００１０】
前記台紙は、前記第一及び第二外板が相互に糊付けされる位置に、糊層と前記糊層を被覆する剥離紙とが設けられていてもよい。また、前記第一内板は、内側に前記収容物視認孔が形成され、基端部が前記第一外折罫線で前記第一外板と区切られた本体部と、前記本体部の、前記第一外折罫線と反対側の端部に延設され、内側に前記収容物の外形よりも大きい収容物ガイド孔が形成されたスペーサ部とを有し、組み立て状態で、前記本体部は、前記第一外折罫線が折れて前記第一外板に重なり、前記スペーサ部は、一方の面が前記本体部に折り重なって相互に糊付けされ、反対側の面が前記裏板に糊付けされ、前記収容物ガイド孔と前記開口部及び前記収容物視認孔とが互いに連通し、前記収容空間が前記収容物ガイド孔の内側に形成される構成にしてもよい。
【００１１】
使用者が、前記主折罫線と前記第一及び第二外折罫線とを近づける方向に力を加え、前記第一及び第二外板が前記第一及び第二補助折罫線で折れて外側に広がった時、前記第一及び第二外板によって略三角形の筒体が形成され、この状態で当該筒体の一側面を下にして平坦面に載置されると、前記第一及び第二内板が起立状態に支持される構成にすることができる。また、前記第二内板には、第二内板の内側を破断させるための開封用破断線が設けられ、前記開封用破断線を破断させると、前記開口部が露出し、前記収容空間に入れられた前記収容物が取り出し可能になる構成にすることができる。
【考案の効果】
【００１２】
この考案の薄形小物用包装体は、シンプルで組み立てやすく、しかも独特で面白味のある包装形態なので、薄形小物を贈る時、相手を少し驚かせる贈り方、あるいは印象に残る贈り方をすることができる。
【図面の簡単な説明】
【００１３】
【図１】この考案の薄形小物用包装体の第一の実施形態の組み立て状態を示す図であって、第一外板の側から見た斜視図（ａ）、第二外板の側から見た斜視図（ｂ）である。
【図２】第一の実施形態の薄形小物用包装体を形成する台紙を表面側から見た展開図（ａ）、裏面側から見た展開図（ｂ）である。
【図３】第一の実施形態の薄形小物用包装体の組み立て工程を順に示す平面図（ａ）〜（ｃ）である。
【図４】図３（ｃ）の、収容物挿入孔及びその周辺部分を拡大した平面図（ａ）、Ａ−Ａ断面図（ｂ）である［収容物を入れる前］。
【図５】図３（ｃ）の、収容物挿入孔及びその周辺部分を拡大した平面図（ａ）、Ｂ−Ｂ断面図（ｂ）である［収容物を入れた後］。
【図６】第一の実施形態の薄形小物用包装体の組み立て工程を順に示す平面図（ａ）と（ｂ）、Ｃ−Ｃ断面図（ｃ）である。
【図７】第一の実施形態の薄形小物包装体に入れられた収容物を視認可能にする時の動作を示す図であって、第一外板の側から見た斜視図（ａ）、第二外板の側から見た斜視図（ｂ）である。
【図８】第一の実施形態の薄形小物包装体に入れられた収容物を取り出す時の動作を示す図であって、第一外板の側から見た斜視図（ａ）、第二外板の側から見た斜視図（ｂ）である。
【図９】第一の実施形態の薄形小物用包装体の一変形例を形成する台紙を表面側から見た展開図（ａ）、組み立て途中の状態［収容物を入れた後］を示すＢ−Ｂ断面図（ｂ）である。
【図１０】この考案の薄形小物用包装体の第二の実施形態を形成する台紙を表面側から見た展開図（ａ）、裏面側から見た展開図（ｂ）である。
【図１１】第二の実施形態の薄形小物用包装体を組み立て途中の状態を示す平面図であって、収容物挿入孔及びその周辺部分を拡大した平面図（ａ）、Ｄ−Ｄ断面図（ｂ）である［収容物を入れた後］。
【考案を実施するための形態】
【００１４】
以下、本考案の薄形小物用包装体の第一の実施形態について、図１〜図９に基づいて説明する。この実施形態の薄形小物用包装体１０は、薄形小物であるコイン１を包装するための包装体であり、図１（ａ）、（ｂ）に示す組み立て状態で、略長方形のカードのような外形になる。この薄形小物用包装体１０は、例えば、小児に５００円玉をお年玉として贈る時にポチ袋として使用される。
【００１５】
薄形小物用包装体１０は、厚紙等で成る一枚の台紙１２を組み立てることによって形成される。台紙１２は、図２（ａ）、（ｂ）に示すように、主折罫線１４を介して互いに連続する第一外板１６と第二外板１８とを備えている。
【００１６】
第一外板１６は、外形が略長方形で、内側に、主折罫線１４と平行な第一補助折罫線２０が設けられ、第二外板１８に連続する部分１６ａと反対側の部分１６ｂとに区切られている。第二外板１８は、外形が第一外板１６とほぼ同じで、内側に、主折罫線１４と平行な第二補助折罫線２２が設けられ、第一外板１６に連続する部分１８ａと反対側の部分１８ｂとに区切られている。部分１６ａと１８ａ、部分１６ｂと１８ｂは、各々同じ大きさで、部分１６ａ，１８ａの方が部分１６ｂ，１８ｂよりも少し大きい。
【００１７】
第一外板１６の、主折罫線１４と反対側の端部には、本体部２４とスペーサ部２６とで構成された第一内板２８が延設され、第一外折罫線３０で第一外板１６と区切られている。第一内板２８の本体部２４は、第一外折罫線３０で第一外板１６と区切られ、先端側の幅が第一外板１６の幅よりも狭なった凸形に形成され、この先端部分（凸形の幅狭の部分）の中央部に、コイン１よりも少し小さい収容物視認孔２４ａが形成されている。スペーサ部２６は、第一外折罫線３０と平行な折罫線３２で本体部２４と区切られ、外形は本体部２４の先端部分（（凸形の幅狭の部分）とほぼ同じ大きさの四角形で、中央部に、コイン１よりも少し大きい収容物ガイド孔２６ａが形成されている。
【００１８】
第二外板１８の、主折罫線１４と反対側の端部には、第一内板２８の本体部２４とほぼ同じ凸形の第二内板３４が延設され、第二外折罫線３６で第二外板１８と区切られている。第二内板３４の先端部分（凸形の幅狭の部分）の中央部には、第二外折罫線３６とほぼ平行な２つの開封用破断線により、開封用ジッパ３４ａが設けられている。開封用ジッパ３４ａの表面側の端部に印刷された「▼」のマークは、開封用ジッパ３４ａの摘み部の位置と破断方向を示している。
【００１９】
第二内板３４の、第二外折罫線３６と反対側の端部には、略四角形の裏板３８が延設され、副折罫線４０で第二内板３４と区切られている。裏板３８は、外形が第二内板３４の先端部分（凸形の幅狭の部分）とほぼ同じ大きさの四角形で、中央部に、独特な形状の開口部である収容物挿入孔４２が形成されている。収容物挿入孔４２は、副折罫線４０に近い側の約半分が、コイン１よりも直径が少し短い小径部４２ａになっており、副折罫線４０から離れた側の約半分が、コイン１よりも直径が少し長い大径部４２ｂになっている。そして、小径部４２ａの周縁部に複数の切り込み４２ｃが放射状に設けられている。
【００２０】
第一及び第二外板１６，１８内側の、主折罫線１４と重なる位置には、長穴状の内板挿通孔４４が設けられている。内板挿通孔４４は、第一内板２８の本体部２４の先端部分及びスペーサ部２６、第二内板３４の先端部分及び裏板３８が挿通可能な大きさに設定されている。
【００２１】
さらに、第二内板３４の裏面の、第二外折罫線３６の近傍部分（凸形の幅広の部分）には、糊層４６と糊層４６を被覆する剥離紙４８とが設けられている。
【００２２】
次に、台紙１２を用いたコイン１の包装方法の一例、すなわち薄形小物用包装体１０の組み立て方法の一例を説明する。ここでは、台紙１２の表面が凸になる折り方を正折り、裏面が凸になる折り方を逆折りと称する。
【００２３】
まず、図３（ａ）に示すように、第一外折罫線３０を逆折りして第一内板２８を第一及び第二外板１６，１８に重ねる。そして、スペーサ部２６の裏面の、折罫線３２と反対側の端部に糊５０ａを塗布した後、図３（ｂ）に示すように、折罫線３２を正折りしてスペーサ部２６を本体部２４に重ね、相互に糊付けする。この状態で、折罫線３２が内板挿通孔４４の内側（主折罫線１４を延長した位置）に配置され、収容物視認孔２４ａと収容物ガイド孔２６ａとが互いに連通する。
【００２４】
さらに、スペーサ部２６の表面の、折罫線３２側の端部と反対側の端部に糊５０ｂを各々塗布した後、図３（ｃ）に示すように、第二外折罫線３６を逆折りして第二内板３４を第二外板１８に重ね、さらに裏板３８をスペーサ部２６に重ねて相互に糊付けする。この状態で、副折罫線４０が内板挿通孔４４の内側（主折罫線１４を延長した位置）に配置され、収容物挿入孔４２と収容物視認孔２４ａ及び収容物ガイド孔２６ａとが互いに連通する。
【００２５】
図４（ａ）、（ｂ）は、図３（ｃ）の状態での収容物視認孔２４ａ、収容物ガイド孔２６ａ及び収容物挿入孔４２の位置関係を詳細に示した図である。収容物ガイド孔２６ａは、収容物視認孔２４ａの上方に、収容物視認孔２４ａに対してほぼ同軸に配置される。そして、収容物ガイド孔２６ａの方が収容物視認孔２４ａより少し大きいので、収容物視認孔２４ａの内周縁部が収容物ガイド孔２６ａの内側に突出し、段差２４ｂが形成される。収容物挿入孔４２は、収容物視認孔２４ａ及び収容物ガイド孔２６ａの上方に配置され、小径部４２ａが収容物視認孔２４ａの端縁にほぼ重なり、大径部４２ｂが収容物ガイド孔２６ａの端縁にほぼ重なり、複数の切り込み４２ｃが段差２４ｂの上方に配置される。そして、本体部２４と裏板３８との間の、スペーサ部２６の収容物ガイド孔２６ａの内側に、コイン１を収容するための収容空間５２が形成される。
【００２６】
薄形小物用包装体１０は、図３（ｃ）の状態で包装体製造工場から出荷され、小売店等で販売される。そして、残りの組み立て作業は、薄形小物用包装体１０を購入した使用者が行う。
【００２７】
使用者は、用意したコイン１（例えば、お年玉用の５００円玉）を収容物挿入孔４２から収容空間５２の中に差し込む作業を行う。コイン１を差し込む時は、図５（ａ）、（ｂ）示すように、コイン１を大径部４２ｂの側から斜め下向きに移動させ、コイン１の端部を小径部４２ａと段差２４ｂとの間に差し込む。そして、コイン１の反対側の端部を大径部４２ｂの内側に入れて下向きに軽く押し込むと、コイン１が収容空間５２に収まり、コイン１の下面の周縁部が段差２４ｂの上面により支持され、コイン１の上面の端部又は角部が、小径部４２ａの下面の周縁部により係止される。
【００２８】
薄形小物用包装体１０は、コイン１を収容空間５２に収めると、小径部４２ａの周縁部（複数の切り込み４２ｃに挟まれた部分）が僅かに斜めに押し上げられる設計になっている。したがって、小径部４２ａの周縁部が元の平坦な状態に戻ろうとする反発力が発生し、この反発力によってコイン１が仮固定される形になるため、コイン１は簡単には脱落しない。
【００２９】
コイン１を収容空間５２に収めた後は、図６（ａ）に示すように、剥離紙４８を剥がして糊層４６を露出させ、図６（ｂ）、（ｃ）に示すように、主折罫線１４を逆折りして第二内板３４を第一内板２８及び裏板３８に重ね、第二内板３４の糊層４６の部分（凸形の幅広の部分）を本体部２４（凸形の幅広の部分）に糊付けする。これで包装作業が終了し、図１（ａ）、（ｂ）に示すように、長方形のカードのようなコンパクトな組み立て状態になる。
【００３０】
この組み立て状態で、第一及び第二外板１６，１８の間に、裏板３８、第一内板２８及び第二内板３４が収容され、内板挿通孔４４から、本体部２４とスペーサ部２６との境界部（折罫線３２の近傍部分）と、第二内板３４と裏板３８との境界部(副折罫線４０の近傍部分）とが僅かに突出する。収容物視認孔２４ａは、第一外板１６によって覆われるので、収容物視認孔２４ａを通してコイン１を見ることはできない。裏板３８の収容物挿入孔４２は、第二内板３４によって塞がれ、さらに第二外板１８によって覆われるので、収容物挿入孔４２を通してコイン１を見ることはできない。
【００３１】
薄形小物用包装体１０は、例えば、お年玉（例えば、５００円玉）を入れたポチ袋として小児に贈られる。これを受け取った小児は、収容物を確認するため、通常、内板挿通孔４４から突出している部分を引っ張って収容物を引き出そうとする。しかし、薄形小物用包装体１０は、そのような単純な操作を行っても収容物を引き出すことはできない。そこで、小児に対し、次のような引き出し方法を教えるとよい。
【００３２】
まず、薄形小物用包装体１０を両手で持ち、内板挿通孔１４の両側に位置する一対の主折罫線１４の部分と、第一及び第二外折罫線３０．３６の部分とに各々指を掛け、主折罫線１４と第一及び第二副折罫線３０．３６とを近づけるように力を加える。すると、図７（ａ）、（ｂ）に示すように、第一及び第二外板１６，１８が第一及び第二補助折罫線２０，２２で折れて外側に広がり、第一及び第二内板２８，３４と裏板３８とが内板挿通孔４４を通じて移動し、収容物視認孔２４ａが内板挿通孔４４の外側まで引き出され、収容物視認孔２４ａを通じて収容物を見ることができる。小児は、以上の操作を行うことで初めて収容物がコイン１（例えば、５００円玉）であることを知ることができ、きっと喜ぶはずである。
【００３３】
その後、コイン１を薄形小物用包装体１０の中から取り出すときは、図８（ａ）、（ｂ）に示すように、第一及び第内板２８，３４と裏板３８とを完全に内板挿通孔４４の外側に引き出し、第二内板３４の開封用ジッパ３４ａを破断させる。すると、第二内板３４に塞がれていた収容物挿入孔４２が広く開口するので、コイン１を収容物視認孔２４ａの側から押し出すことによって簡単に取り出すことができる。
【００３４】
また、コイン１は、開封用ジッパ３４ａを破断して取り出すのではなく、薄形小物用包装体１０を元の組み立て状態に戻して保管することも可能である。小児は、コイン１を引き出す方法を教えてもらったので、時々コイン１を見て楽しむことができ、再び薄形小物用包装体１０を組み立て状態に戻し、コイン１を安全に保管することができる。上記の特許文献１の台紙型ポリ袋の場合、このような操作を繰り返すと、糊の粘着性が低下して短期間のうちに使用できなくなるが、薄形小物用包装体１０の場合は、問題なく長期間使用することができる。
【００３５】
また、コイン１を薄形小物用包装体１０に入れたまま保管する場合は、コイン１が視認できる状態にして飾っておくことも可能である。例えば、第一及び第二外板１６，１８を図７（ａ）、（ｂ）に示す状態に固定する。この状態にすると、第一及び第二外板１６，１８によって略三角形の筒体が形成され、筒体の一側面（部分１６ｂ及び部分１８ｂの面）を下にして棚等に置けば、第一及び第二内板２８，３４と裏面３８とが起立状態に支持されるので、コイン１を視認可能に飾ることができる。このように、薄形小物用包装体１０は、コイン１を飾るスタンドとしても使用することができる。
【００３６】
以上説明したように、薄形小物用包装体１０は、シンプルで組み立てやすく、しかも独特で面白味のある包装形態なので、コイン１を贈る時、相手を少し驚かせる贈り方、あるいは印象に残る贈り方をすることができる。また、コイン１を贈られた人は、開封用ジッパ３４ａを破断させることによって、コイン１を容易に取り出すことができる。あるいは、コイン１を薄形小物用包装体１０に入れたまま保管してもよく、コイン１を安全且つ便利に保管することができる。
【００３７】
なお、薄形小物用包装体１０は、小児等に５００円硬貨を贈るのに好適な構成であるが、１０００円札等の紙幣を贈る場合にも転用することができる。紙幣を包装する場合、例えば、紙幣を、コインよりもひと周り大きい略正方形に折り畳み、図３（ｃ）に示す薄形小物用包装体１０の裏板３８の上面に、収容物挿入孔４２を覆うように重ね置く。この時、紙幣の絵柄の中の特徴的な部分を裏面３８側に配置するとよい。その後、図６（ａ）、（ｂ）に示すように、剥離紙４８を剥がして糊層４６を露出させ、主折罫線１４を逆折りして第二内板３４を第一内板２８及び裏板３８に重ね、第二内板３４の糊層４６の部分（凸形の幅広の部分）を本体部２４（凸形の幅広の部分）に糊付けする。これで図１（ａ）、（ｂ）に示す組み立て状態になる。
【００３８】
組み立て状態で、紙幣は、第二内板３４と裏板３８との間に配置される。第二内板３４と裏板３８との間には紙幣を収容するための特別な空間（収容空間５２のような空間）は用意されていないので、第二内板３４及び裏板３８は紙幣に押されて外向きに湾曲し、その間に紙幣が挟持される形になる。しかも、折り畳まれた紙幣は、折り曲げの反発力で厚み方向に広がろうとするので、紙幣は、第二内板３４及び裏板３８の間にしっかり挟持され、位置決めされる。
【００３９】
これ以降の使用方法は、上記と同じである。お年玉を受け取った小児は、組み立て状態で収容物を見ることができず、図７、図８に示すように、第一及び第二内板２８，３４と裏板３８とを内板挿通孔４４を通じて移動させると、収容物視認孔２４ａから、紙幣の絵柄を見ることができる。また、開封用ジッパ３４ａを破断させることによって、紙幣を容易に取り出すことができる。あるいは、紙幣を薄形小物用包装体１０に入れたまま保管してもよい。
【００４０】
次に、薄形小物用包装体１０の一変形例である薄形小物用包装体１０ｘについて説明する。薄形小物用包装体１０ｘは、上記のコイン１よりも厚手のコイン１ｘ（あるいは、コイン１を複数枚重ねたもの）を包装できるようにしたものである。図１（ａ）、（ｂ）に示すように、組み立て状態の外観は薄形小物用包装体１０とほぼ同じである。
【００４１】
薄形小物用包装体１０ｘは、図９（ａ）に示す一枚の台紙１２ｘを組み立てることによって形成される。台紙１２ｘは、上記の台紙１２が有するスペーサ部２６を、新規なスペーサ部５４に置き換えたものであり、その他の構成は同様である。
【００４２】
スペーサ部５４は、２つのスペーサ板２６(1)，２６(2)により構成され、スペーサ板２６(1)は、上記のスペーサ部２６と同じ構造であり、内側に収容物ガイド孔２６aと同様の収容物ガイド孔２６a(1)が形成されている。スペーサ板２６(2)は、スペーサ板２６(1)の、折罫線３２と反対側の端部に延設され、折罫線５６でスペーサ板２６(1)と区切られている。スペーサ板２６(2)は、折罫線５６を軸にしてスペーサ板２６(1)と線対称な構造であり、内側に収容物ガイド孔２６a(1)と同様の収容物ガイド孔２６a(2)が形成されている。
【００４３】
図９（ｂ）は、薄形小物用包装体１０ｘを組み立てる途中の、コイン１ｘを差し込む作業を示した図であり、薄形小物用包装体１０の図５（ｂ）に対応した図である。この状態にするまでの手順は薄形小物用包装体１０とほぼ同様であり、ここでは、スペーサ板２６(2)又はスペーサ板２６(1)に糊５０ｃを塗布し、スペーサ板２６(2)をスペーサ板２６(1)の上面に折り重ねて糊付けする作業が追加される。また、裏板３８は、スペーサ板２６(2)の上面に糊５０ｂが塗布した後、スペーサ板２６(2)に糊付けされる。
【００４４】
図９（ｂ）に示す状態で、収容物ガイド孔２６ａ(1)，２６ａ(2)は互いに同軸に配置され、収容物視認孔２４ａの上方に、収容物視認孔２４ａに対してほぼ同軸に配置される。そして、収容物視認孔２４ａの内周縁部が収容物ガイド孔２６ａ(1)，２６(2)の内側に突出し、段差２４ｂが形成される。収容物挿入孔４２は、収容物視認孔２４ａ及び収容物ガイド孔２６ａ(1)，２６(2)の上方に配置され、小径部４２ａが収容物視認孔２４ａの端縁にほぼ重なり、大径部４２ｂが収容物ガイド孔２６ａ(1)，２６ａ(2)の端縁にほぼ重なり、複数の切り込み４２ｃが段差２４ｂの上方に配置される。そして、本体部２４と裏板３８との間の、スペーサ部５４の収容物ガイド孔２６ａ(1)，２６(2)の内側に、コイン１ｘを収容するための収容空間５２ｘが形成される。コイン１ｘを収容空間５２ｘに入れる手順は、上記と同じである。
【００４５】
薄形小物用包装体１０ｘの場合、スペーサ部５４の厚みが基材２枚分の厚みとなり、収容空間５２ｘの高さが収容空間５２の約２倍になるので、厚手のコイン１ｘを支障なく収めることができる。薄形小物用包装体１０ｘは、厚手のコイン１ｘ（あるいは、コイン１を複数枚重ねたもの）を収容する場合に好適な構成であり、上記の薄形小物用包装体１０と同様の効果を得ることができる。
【００４６】
もっと厚いコインを包装する場合は、上記と同じ要領でさらにスペーサ板の数を増やすことにより、収容空間の高さをさらに高くすることができる。なお、収容空間の高さは、台紙の基材の厚みだけでなく、糊５０ａ，５０ｂ，５０ｃの厚みも関係するので、スペーサ板の数を決める時は糊の厚みも考慮するとよい。
【００４７】
次に、本考案の薄形小物用包装体の第二の実施形態について、図１０、図１１に基づいて説明する。ここで、上記の薄形小物用包装体１０と同様の構成は、同一の符号を付して説明を省略する。
【００４８】
この実施形態の薄形小物用包装体５８は、略長方形の薄形小物である写真２を包装するための包装体である。図１（ａ）、（ｂ）に示すように、組み立て状態の外観は薄形小物用包装体１０とほぼ同じであるが、大きさは写真２に合わせて変更されている。
【００４９】
薄形小物用包装体５８は、図１０（ａ）に示す一枚の台紙６０を組み立てることによって形成される。台紙６０の、上記の台紙１２との相違点は、収容物視認孔２４ａ、収容物ガイド孔２６ａ及び収容物挿入孔４２が、収容物視認孔６２、収容物ガイド孔６４及び収容物挿入孔６６に各々変更されているという点である。その他の構成は台紙１２と同様である。
【００５０】
本体部２４の先端部分（凸形の幅狭の部分）に設けられた収容物視認孔６２は、写真２よりも少し小さい長方形に形成されている。スペーサ部２６に設けられた収容物ガイド孔６４は、写真２よりも少し大きい長方形に形成されている。
【００５１】
裏板３８に設けられた収容物挿入孔６６は、写真２を差し込むための独特な形状になっている。収容物挿入孔６６は、幅が狭い長方形の透孔部６６ａを有し、透孔部６６ａの長辺の長さは、写真２の長辺より少し長く、短辺の長さは、写真２の短辺の約３／５に設定されている。さらに、透孔部６６ａの２つの短辺を副折罫線４０の方向に延長する位置に、一対の切り込み６６ｂが設けられ、切り込み６６ｂの間に舌部６６ｃが形成されている。切り込み６６ｂの長さは、写真２の短辺の長さの約２／５に設定されている。
【００５２】
図１１（ａ）、（ｂ）は、薄形小物用包装体５８を組み立てる途中の、写真２を差し込む作業を示した図であり、薄形小物用包装体１０の図５（ａ）、（ｂ）に対応した図である。この状態にするまでの手順は、薄形小物用包装体１０とほぼ同様である。
【００５３】
この状態で、収容物ガイド孔６４は、収容物視認孔６２の上方に、収容物視認孔６２に対してほぼ同軸に配置される。そして、収容物視認孔６６の内周縁部が収容物ガイド孔６４の内側に突出し、段差２４ｂが形成される。収容物挿入孔６６は、収容物視認孔６２及び収容物ガイド孔６４の上方に配置され、透孔部６６ａの、舌部６６ｃと反対側の端縁が、収容物ガイド孔６４の端縁にほぼ重なる。舌部６６ｃは、収容物ガイド孔６４の、副折罫線４０の側の約２／５の領域と、段差２４ｂの、副折罫線４０に近い領域の上方を覆う。そして、本体部２４と裏板３８との間の、スペーサ部２６の収容物ガイド孔６４の内側に、写真２を収容するための収容空間６８が形成される。
【００５４】
薄形小物用包装体５８を購入した使用者は、用意した写真２を収容物挿入孔６６から収容空間６８に差し込む作業を行う。写真２を差し込む時は、図１１（ａ）、（ｂ）示すように、写真２を透孔部６６ａの側から斜め下向きに移動させ、写真２の端部を舌部６６ｃと段差２４ｂとの間に差し込む。そして、写真２の反対側の端部を透孔部６６ａの内側に入れて下向きに軽く押し込むと、写真２が収容空間６８に収まり、写真２の下面の周縁部が段差２４ｂの上面により支持される。写真２の上方には舌部６６ｃが配置され、写真２の上面の約２／３の領域が舌部６６ｃによって覆われるので、簡単には脱落しない。
【００５５】
薄形小物用包装体５８の、写真２を収容空間６８に収めた後の組み立て作業、及びその後の使用方法は、上記の薄形小物用包装体１０と同様である。
【００５６】
薄形小物用包装体５８は、収容物がコイン１ではなく写真２であり、写真２に合わせた構造になっているが、上記の薄形小物用包装体１０と同様の効果が得られる。なお、写真２は非常に薄いので、糊５０ｂの厚みや台紙６０の変形によって収容空間６８の高さが確保できる可能性がある。したがって、条件が合えば、台紙６０からスペーサ部２６を省略することができる。
【００５７】
なお、本考案の薄形小物用包装体は、上記実施形態及び変形例の形態に限定されるものではない。例えば、収容物挿入孔等の開口部は、収容物である薄形小物が物理的に通過できる、または確認等ができる開口が形成された構造であればよく、薄形小物の大きさ、厚み、形状、柔らかさ等に合わせて適宜変更することができる。また、上記実施形態の収容物挿入孔４２，６６は、使用者がコイン又は写真を収容空間に入れた時にこれらが簡単に脱落するのを防止するため、図２、図１０に示すような独特な構造になっているが、脱落するのを防止する必要がない場合は、例えば、収容物挿入孔４２，６６を収容物ガイド孔２６ａ，６４と同じ構造（形状、大きさ）にすることができる。上記の薄形小物用包装体１０，５８は、収容物を贈られた人が薄形小物用包装体１０，５８から収容物を取り出しやすくするため、第二内板３４に開封用破断線（開封用ジッパ３４ａ）を設けているが、必要なければ開封用破断線は省略してもよい。
【００５８】
また、上記の薄形小物用包装体１０，５８は、収容物の包装を一般の使用者（薄形小物用包装体１０，５８を購入した人）が行うというコンセプトの包装体であり、使用者が実施する包装作業を容易にするため、台紙１２，６０に糊層４６及び剥離紙６８を設けている。しかし、収容物が記念コインや記念切手等の場合、収容物の包装は販売業者が行うことになるので、使用者の包装作業を容易にすることを考慮する必要はない。したがって、例えば、台紙に糊層４６及び剥離紙６８を設けるのを止めて、組み立て工程の中でその位置（糊層４６の位置）に糊を塗布して糊付けするようにしてもよい。
【００５９】
包装対象の薄形小物はコイン、写真、切手に限定されず、その他の様々な物品の包装に使用することができる。また、台紙は厚紙以外の素材を使用してもよく、基材の厚みについても適宜設定することができる。また、組み立て状態の外形は、略長方形のカードのような外形に限定されず、薄形小物の形状や包装後の見栄えを考慮して自由に変更することができる。
【符号の説明】
【００６０】
１，１ｘ  コイン（薄形小物）
２  写真（薄形小物）
１０，１０ｘ，５８  薄形小物用包装体
１２，１２ｘ，６０  台紙
１４  主折罫線
１６  第一外板
１６ａ，１６ｂ  部分
１８  第二外板
１８ａ，１８ｂ  部分
２０  第一補助折罫線
２２  第二補助折罫線
２４  本体部（第一内板）
２４ａ，６２  収容物視認孔
２４ｂ  段差
２６，５４  スペーサ部（第一内板）
２６(1)，２６(2)  スペーサ板（第一内板）
２６ａ，２６ａ(1），２６ａ(2)，６４  収容物ガイド孔
２８  第一内板
３０  第一外折罫線
３２，５６  折罫線
３４  第二内板
３４ａ  開封用ジッパ（開封用破断線）
３６  第二外折罫線
３８  裏板
４０  副折罫線
４２，６６  収容物挿入孔
４２ａ  小径部
４２ｂ  大径部
４２ｃ，６６ｂ  切り込み
４４  内板挿通孔
４６  糊層
４８  剥離紙
５０ａ，５０ｂ，５０ｃ  糊
５２，５２ｘ，６８  収容空間
６６ａ  透孔部
６６ｃ  舌部
【図１】
0003222312.tif 000003
【図２】
0003222312.tif 000004
【図３】
0003222312.tif 000005
【図４】
0003222312.tif 000006
【図５】
0003222312.tif 000007
【図６】
0003222312.tif 000008
【図７】
0003222312.tif 000009
【図８】
0003222312.tif 000010
【図９】
0003222312.tif 000011
【図１０】
0003222312.tif 000012
【図１１】
0003222312.tif 000013